(57)【要約】【課題】  商品が商品排出口から排出される際の騒音を充分に低減できる自動販売機の商品取出口装置を提供することを目的とする。【解決手段】  排出口扉１０に押されて防盗板２０が手前側に回動しようとする際に、その回動の抵抗となる第４スポンジ５１を、防盗板２０の回動中心となる上端部と上部フレーム５０との間に設ける。この第４スポンジ５１が防盗板２０が回動するときの抵抗となることにより、防盗板２０が回動するスピードが小さくなり、また回動する角度が小さくなり、防盗板が手前側に回動して左右一対のガイド３０に当接する際のスピードが低減され、よって当接するときの騒音が低減される。さらに第４スポンジ５１が抵抗となることにより、回動時の防盗板２０の振動が抑えられ、防盗板２０が左右一対のガイド３０に繰り返し当接することが回避される。【選択図】      図５
2007072820.tif 000002
【特許請求の範囲】
【請求項１】
庫内の商品収納部からの商品を商品取出口へ払い出すために内扉に開口させた商品排出口と、
この商品排出口を開閉する排出口扉と、
前記商品取出口の上部空間に、上方に設けられた回転支点を中心に揺動自在に配設され、前記排出口扉が前記商品に押されて回動された場合に、前記排出口扉に当接して、前記排出口扉が手前側に大きく開けられることを阻止する防盗板と、
前記防盗板の上端部に沿って配設され、前記防盗板が前記排出口扉に押されて回動する場合に、この回動の抵抗となる抵抗部材と
を備えたことを特徴とする自動販売機の商品取出口装置。
【請求項２】
前記排出口扉が当接する前記防盗板の面に、前記排出口扉が当接した場合にその衝撃を吸収する衝撃吸収部材を取り付けたこと
を特徴とする請求項１に記載の自動販売機の商品取出口装置。
【請求項３】
前記商品取出口の前面に、前記商品を取り出すときに開閉する商品の取出口扉を備え、
前記取出口扉の左右両端をそれぞれ回動自在に支持するとともに、前記防盗板が回動した場合に当接する当接面を有する一対の回転支持部材を備え、
前記一対の回転支持部材の当接面にそれぞれ、前記防盗板が当接した場合にその衝撃を吸収する衝撃吸収部材を取り付けたこと
を特徴とする請求項１または請求項２に記載の自動販売機の商品取出口装置。
【請求項４】
前記商品取出口の下部空間に、前記排出口扉から排出された商品を受け止める受け止め部を備え、
前記受け止め部に、前記排出口扉から排出された商品への衝撃を吸収する衝撃吸収部材を取り付けたこと
を特徴とする請求項１〜請求項３のいずれか１項に記載の自動販売機の商品取出口装置。
【発明の詳細な説明】
【技術分野】
【０００１】
本発明は自動販売機の商品取出口装置に関するものである。
【背景技術】
【０００２】
従来の自動販売機が、例えば、特許文献１に開示されている。
この自動販売機は、図７に示すように、商品６を冷却したり加温したりして販売可能な自動販売機であり、外扉１を開閉自在に支持する自動販売機本体２内に、断熱性を有する内扉３にてその前面開口部を開閉可能な断熱構造の庫内４空間が設けられており、庫内４に設けられた複数列の商品収納部５に缶などの商品６が多数収納されている。商品収納部５の下端部には、収納した商品６を順次払い出す払出装置７が配設され、この払出装置７にて払い出された商品６は、シュート１３により案内されて、内扉３の下部に設けられた商品排出口９を通して、外扉１の下部の商品取出口８に払い出される。前記商品排出口９は、内箱３内の商品収納部５からの商品６を商品取出口８へ払い出すために内扉３に開口されている。
【０００３】
内扉３の商品排出口９には下部側が手前に回動自在で断熱性を有し、商品排出口９を開閉する排出口扉１０が設けられて、庫内４の温度調節された空気が外部にあまり漏れないように図られている。
【０００４】
商品取出口８の上部空間には、特許文献１にも開示されているように、盗難を防止するための防盗板が配設されている。すなわち、図８に示すように、商品取出口８の前面に設けられている商品６の取出口扉１１に加えて、取出口扉１１よりも奥側の箇所に、上方の支点１２ａを中心に揺動自在（下方側が回動自在）に支持された防盗板１２が配設されている。
【０００５】
この防盗板１２は、商品６が商品収納部５から払い出されて、シュート１３を介して商品排出口９側に排出される場合には、図９に示すように、排出口扉１０に当接して若干手前側に回動することにより、排出口扉１０が手前側に回動することを許容して、商品６が商品取出口８内に支障をきたすことなく排出されるように構成されるとともに、ユーザーが商品取出口８へ払い出された商品６を掴もうとしたときに、ユーザーの手に押されて排出口扉１０へ当接し排出口扉１０を手前側に開けることができないように構成されている。このように、防盗板１２は、排出口扉１０を手前側に開けることができないように構成されていることにより、商品排出口９より中へユーザーが手が入れて商品６を取り出すことを阻止でき、防盗の役目を果している。
【特許文献１】特開２００２−２４５５２４号公報
【発明の開示】
【発明が解決しようとする課題】
【０００６】
上記従来構成の防盗板１２を備えた商品取出口装置の構造において、商品６が商品排出口９から排出され商品取出口８に払い出される際に、排出口扉１０に当たり、続いて排出口扉１０が回動して防盗板１２に当接するために、騒音が発生するという問題があった。
【０００７】
この問題を解決するために、排出口扉１０と防盗板１２が当接する箇所にスポンジなどを取り付けて騒音を低減することが考えられるが、これだけでは騒音を低減することに充分ではなかった。
【０００８】
また特開２０００−１１２４２号公報に開示されているように、防盗板を本体（商品取出口）へ回動自在に取り付けるとき、防盗板の両端部に位置する、防盗板のシャフトおよびこのシャフトが貫通する防盗板のカール部内に、防盗板と本体（商品取出口）との間の干渉を防止し（防盗板が振れたときの振動が本体側へ伝播することを防止し）、さらに防盗板の振動を吸収して騒音を低減する弾性部材を嵌入することが考えられる。しかし、この弾性部材を取り付けるためには、防盗板に上記カール部を形成する必要があり、製作コストが高くなり、組立の作業性が悪くなるという問題が発生する。
【０００９】
そこで、本発明は上記課題を解決するもので、安価で組立易く、商品が商品排出口から排出される際の騒音を充分に低減できる自動販売機の商品取出口装置を提供することを目的とする。
【課題を解決するための手段】
【００１０】
上記課題を解決するために請求項１に記載の自動販売機の商品取出口装置は、庫内の商品収納部からの商品を商品取出口へ払い出すために内扉に開口させた商品排出口と、この商品排出口を開閉する排出口扉と、前記商品取出口の上部空間に、上方に設けられた回転支点を中心に揺動自在に配設され、前記排出口扉が前記商品に押されて回動された場合に、前記排出口扉に当接して、前記排出口扉が手前側に大きく開けられることを阻止する防盗板と、前記防盗板の上端部に沿って配設され、前記防盗板が前記排出口扉に押されて回動する場合に、この回動の抵抗となる抵抗部材とを備えたことを特徴とする。
【００１１】
この構成により、排出口扉に押されて防盗板が手前側に回動しようとする際、防盗板の上端部に沿って配置されている抵抗部材が抵抗となって、防盗板が回動するスピードが小さくなり、また回動する角度が小さくなり、防盗板が手前側に回動して手前側の部材（商品の取出口扉等）に当接する際のスピードが低減される。よって当接するときの騒音が低減される。さらに抵抗部材が抵抗となることにより、回動時の防盗板の振動が抑えられ、防盗板が前記手前側の部材に繰り返し当接することが回避される。また、騒音が低減するためには、防盗板の上端部に沿って抵抗部材を配設するだけでよいことから、製作コストの上昇は抑えられ、組立の作業性が悪くなることが防止される。
【００１２】
請求項２に記載の発明は、請求項１に記載の自動販売機の商品取出口装置において、前記排出口扉が当接する前記防盗板の面に、前記排出口扉が当接した場合にその衝撃を吸収する衝撃吸収部材を取り付けたことを特徴とする。
【００１３】
この構成により、排出口扉が手前側に回動すると防盗板の衝撃吸収部材に当接することにより、排出口扉が防盗板に当接するときの衝撃がこの衝撃吸収部材により吸収され、よって騒音が低減される。
【００１４】
また請求項３記載の発明は、請求項１または請求項２に記載の自動販売機の商品取出口装置において、前記商品取出口の前面に、前記商品を取り出すときに開閉する商品の取出口扉を備え、前記取出口扉の左右両端をそれぞれ回動自在に支持するとともに、前記防盗板が回動した場合に当接する当接面を有する一対の回転支持部材を備え、前記一対の回転支持部材の当接面にそれぞれ、前記防盗板が当接した場合にその衝撃を吸収する衝撃吸収部材を取り付けたことを特徴とする。
【００１５】
この構成により、防盗板が一対の回転支持部材に当接するとき、防盗板が衝撃吸収部材に接触し、防盗板が回転支持部材に当たるときの衝撃が吸収され、よって騒音が低減される。
【００１６】
また請求項４記載の発明は、請求項１〜請求項３のいずれか１項に記載の自動販売機の商品取出口装置において、前記商品取出口の下部空間に、前記排出口扉から排出された商品を受け止める受け止め部を備え、前記受け止め部に、前記排出口扉から排出された商品への衝撃を吸収する衝撃吸収部材を取り付けたことを特徴とする。
【００１７】
この構成により、商品排出口側に排出された商品は、受け止められる際の衝撃が衝撃吸収部材により吸収され、よって騒音が低減される。
【発明の効果】
【００１８】
本発明の自動販売機の商品取出口装置は、上記構成を有し、排出口扉に押されて防盗板が手前側に回動しようとする際、防盗板の上端部に沿って配置されている抵抗部材が抵抗となって、防盗板が回動するスピードが小さくなり、また回動する角度が小さくなり、防盗板が手前側に回動して手前側の部材（商品の取出口扉等）に当接する際のスピードが低減されることによって、防盗板が当接するときの騒音を低減することができる。また、騒音が低減するためには、防盗板の上端部に沿って抵抗部材を配設するだけでよいことから、製作コストの上昇を抑えることができ、組立の作業性が悪くなることを防止できる。
【発明を実施するための最良の形態】
【００１９】
以下、本発明の実施の形態を、図面を参照しながら説明する。なお、従来の図７に示す自動販売機の構成要素とは商品取出口箇所だけが異なるため、この箇所について説明する。また従来の自動販売機の構成要素と略同機能のものには同符号を付して説明する。
【００２０】
図１〜図４に示すように、この自動販売機においては、従来の防盗板と同位置で同様な機能を有する防盗板２０が設けられ、さらに左右一対のガイド３０と、商品取出口８へ排出された商品６を受け止める受け止め部４０と、防盗板２０の上方を覆う上部フレーム５０と、左右一対の側部フレーム６０が設けられている。
【００２１】
前記防盗板２０には、長方形状平板の上端部を裏面側（取出口扉１１よりも奥側の方向）に鋭角に折り曲げ、この折り曲げた上端部を残して両側端部を切り落とすことにより両端部にヒンジ部（回転支点の一例）２１が形成されており、さらに下端部を裏面側に断面視で三角形状となるように折り曲げることにより、防盗板２０の補強を兼ねて排出口扉１０が当接する当接部２２が形成されている。この当接部２２の上部一辺が長手方向に渡って排出口扉１０の当接面２２ａが形成されており、この当接面２２ａに平板形状の第１スポンジ（衝撃吸収部材の一例）２３が貼り付けられている。
【００２２】
また左右一対のガイド３０はそれぞれ、取出口扉１１の上端（左右両端）を回転自在に支持する支持孔３１を有し、取出口扉１１の下方側を回動自在に支持するとともに、防盗板２０が回動した場合にその防盗板２０側端部が当接する当接面３２を有する一対の回転支持部材である。また各当接面３２にはそれぞれ、当接面３２に渡って断面視四角形状で細長の第２スポンジ（衝撃吸収部材の一例）３３が長手方向を接触させて貼り付けられている。
【００２３】
また受け止め部４０は、商品取出口８の下部空間に配設されており、断面視Ｕ字形で樋状の底フレーム４１と、この底フレーム４１の底でその長手方向に取り付けられた前後一対の第３スポンジ４２と、これら第３スポンジ４２の上方に、撓ませてＵ字状に変形させ底フレーム４１に張られた高密度ポリエチレン製のシート４３と、底フレーム４１の取出口扉１１側一辺の上端に長手方向に取り付けられ、撓ませたシート４３の取出口扉１１側一辺を底フレーム４１に固定する第１押え部材４４と、底フレーム４１の商品排出口９側一辺の上端に長手方向に取り付けられ、撓ませたシート４３の商品排出口９側一辺を底フレーム４１に固定する第２押え部材４５とから構成されている。第３スポンジ４２とシート４３により、受け止め部４０における、排出口扉１０から商品取出口８へ排出された商品６への衝撃を吸収する衝撃吸収部材が形成されている。
【００２４】
また上部フレーム５０の中央下部には、防盗板２０の上端部に沿って接触する断面視四角形状で細長の第４スポンジ（抵抗部材の一例）５１が長手方向に貼り付けられている。この第４スポンジ５１は、防盗板２０が排出口扉１０に押されて回動する場合に、この回動の抵抗となる。
【００２５】
また左右一対の側部フレーム６０は、商品取出口８の両側部に配置され、防盗板２０と左右のガイド３０とシート４３と上部フレーム５０を支持するフレームであり、これら左右一対の側部フレーム６０にはそれぞれ、上部フレーム５０の第４スポンジ５１に防盗板２０の上端部が押し付けられる位置に、防盗板２０の端部のヒンジ部２１を回転自在に支持する支持孔６１が設けられている。
【００２６】
この構成において、商品６の払出指示があり、防盗板２０に対して外力が作用していない待機状態において、商品６が商品収納部５から払い出されて、シュート１３を介して商品排出口９側に排出された場合には、図５に示すように、排出口扉１０が手前側（取出口扉１１側）に回動する。この際、排出口扉１０が手前側に回動して防盗板２０の第１スポンジ２３に当接するが、この場合、排出口扉１０が防盗板２０に当接するときの衝撃が第１スポンジ２３により吸収され、よって騒音が低減される。
【００２７】
続いて、排出口扉１０に押されて防盗板２０が手前側に回動しようとする。この際、防盗板２０の上端部に押し付けられている第４スポンジ５１が抵抗となって、防盗板２０が回動するスピードが小さくなり、また回動する角度が小さくなり、防盗板２０が手前側に回動して左右一対のガイド３０に当接する際のスピードが低減され、さらに第４スポンジ５１が防盗板２０の上端部に接触していることにより、騒音の原因となる、回動時の防盗板２０の振動を減衰する効果が得られ、よって排出口扉１０が防盗板２０に当接するときの騒音が低減される。そして、防盗板２０が排出口扉１０に当接して若干手前側に回動することにより、排出口扉１０が手前側に回動することを許容して、商品６が商品取出口８内に支障をきたすことなく排出されるとともに、ユーザーが商品取出口８へ払い出された商品６を掴もうとしたときに、ユーザーの手に押されて排出口扉１０へ当接し排出口扉１０を手前側に開けることができないようにされる。さらに回動時の防盗板２０の振動が抑えられることにより、防盗板２０が手前側に回動し、左右一対のガイド３０に繰り返し当接することが回避される。
【００２８】
続いて、防盗板２０が左右一対のガイド３０の当接面３２と当接する。このとき防盗板２０が第３スポンジ３３に接触し、防盗板２０がガイド３０に当たるときの衝撃が吸収され、よって騒音が低減される。
【００２９】
また商品排出口９側に排出された商品６は、シート４３およびシート４３下方の第４スポンジ４２により衝撃が吸収されながら受け止められる。よって商品６が受け止め部４０で発生する騒音が低減される。
【００３０】
以上のように、排出口扉１０が防盗板２０に当接するときの騒音が低減され、防盗板２０が左右一対のガイド３０に当接するときの騒音が低減され、防盗板２０が左右一対のガイド３０に繰り返し当接することが回避され、受け止め部４０で発生する騒音が低減されることにより、商品６が商品排出口９から排出される際の騒音を充分に低減できる自動販売機の商品取出口装置を提供することができる。また、排出口扉１０が防盗板２０に当接するときの騒音を低減するためには、防盗板２０の上端部に沿って第４スポンジ５１（抵抗部材）を配設するだけでよいことから、製作コストの上昇を抑えることができ、組立の作業性が悪くなることを防止できる。
【００３１】
なお、本実施の形態では、抵抗部材をスポンジ（第４スポンジ５１）で形成しているが、スポンジに限ることはなく、防盗板２０の上端部が回動するときの抵抗となる部材であればよく、たとえば弾性部材（ゴムなど）でもよい。また第４スポンジ５１は、上部フレーム５０下方中央部にのみに限定して設けているが、全体に渡って設けるようにしてもよく、第４スポンジ５１の厚さや長さを調整することにより、抵抗の度合いを調整することができる。
【００３２】
また本実施の形態では、衝撃吸収部材をスポンジ（第１スポンジ２３、第２スポンジ３３、第３スポンジ４２）で形成しているが、スポンジに限ることはなく、衝撃を吸収する部材であればよく、たとえば弾性部材（ゴムなど）でもよい。
【００３３】
また本実施の形態では、防盗板２０のヒンジ部２１は、上端部を単に折り曲げて形成しているが、図６に示すように、上端部を丸めてリング状のヒンジ部２１’と形成することも可能である。このとき、側部フレーム６０の支持孔６１との接触が滑らかとなり、回動する際の騒音が低減される可能性がある。
【産業上の利用可能性】
【００３４】
本発明にかかる自動販売機の商品取出口装置は、商品取り出し時の騒音を充分に低減できることから、静かな環境が求められるエリア（病院など）に設置される自動販売機に有用である。
【図面の簡単な説明】
【００３５】
【図１】本発明の実施の形態にかかる自動販売機の商品取出口装置の側面図であり、待機状態を示す。
【図２】同商品取出口装置の分解斜視図である。
【図３】同商品取出口装置の要部断面斜視図である。
【図４】同商品取出口装置の左右の中心部断面斜視図である。
【図５】同商品取出口装置の側面図であり、商品払出時の状態を示す。
【図６】同商品取出口装置の要部側面図であり、他の実施の形態を示す。
【図７】従来の自動販売機の全体側面断面図である。
【図８】同従来の自動販売機の商品取出口装置の側面図であり、待機状態を示す。
【図９】同従来の商品取出口装置の側面図であり、商品が商品排出口に払い出された時の状態を示す。
【符号の説明】
【００３６】
５    商品収納部
６    商品
８    商品取出口
９    商品排出口
１０  排出口扉
１１  取出口扉
２０  防盗板
２１  ヒンジ部
２３，３３，４２，５１  スポンジ
３０  ガイド
４０  受け止め部
４３  シート
４４  第１押え部材
４５  第２押え部材
５０  上部フレーム
６０  側部フレーム
【図１】
2007072820.tif 000003
【図２】
2007072820.tif 000004
【図３】
2007072820.tif 000005
【図４】
2007072820.tif 000006
【図５】
2007072820.tif 000007
【図６】
2007072820.tif 000008
【図７】
2007072820.tif 000009
【図８】
2007072820.tif 000010
【図９】
2007072820.tif 000011